(57)【特許請求の範囲】
【請求項１】
シートがロール状に巻き取られた２つのシート巻取物を支承し、かつシート巻取物から前記シートを送り出すシート巻出機と、シート巻取物から送り出されたシートを切断するシート切断具と、シート巻取物からのシートが切断されたシート終端を、他のシート巻取物のシート始端に接続するためにシート終端を押すタッチロールとを具えるとともに、
前記シート巻出機は、垂直面内で基台に対し間欠的に回動自在に支承されたターレットアームに、
このターレットアームの両端に設けられ前記シート巻取物をターレットアームと直角かつ水平に前記支承しうる軸受部と、
前記ターレットアームの両側面かつターレットアームが支承される点を挟んだ両側位置しかも前記シート巻取物と平行な各一対のガイドローラとを設けるとともに、
前記ガイドローラは、シート巻取物の最大半径をこえる位置で送り出された前記シートを案内し、
かつ前記シート切断具は、
円盤状をなす回転刃を前記シートの巾方向に複数配列することによりシートの切断線を実質上一直線とするサーキュラカッタと、
前記サーキュラカッタを挿入し、かつ挿入により前記シートを切断する切断溝を有する溝部材とからなり、
前記サーキュラカッタは、前記ガイドロール間に向けて移動可能に配され、かつ前記溝部材は、ターレットアームに設けられてなるシート巻出装置。
【発明の詳細な説明】
【０００１】
【産業上の利用分野】
本発明はシートをロール状に巻き取ったシート巻取物からシートを連続的にシート加工機等に送り出すシート巻出装置に関する。
【０００２】
【従来の技術】
一般に、布、織物、不織布などの基材からなるシートをロール状に巻取るシート巻取機は、シート製造工程から送り出されるシートを巻芯に巻回するとともにこの巻取物が予め定められた巻径に達すると、シートを切断してシート巻取物を完成させる。
【０００３】
このとき、シートが前記した布、不織布等の基材からなる場合には、切刃をシートの巾方向に移動させて切断を行ういわゆるスライドカッターでは容易に切断し得ず、又切断しうる場合でもシート切断縁の繊維がほつれ易くシート巻取物の製品価値を損なうという問題がある。又シートの巻取中に前記スライドカッターを用いてシートを切断すると、シートの切断縁が斜縁状をなし、シート巻取物の見映えを悪化させる。
【０００４】
かかる問題を解決すべく本願出願人は実公昭５２−７５９８号公報に示すようなシート類のカッター機構を既に提案している。この機構は、円盤状をなす回転刃をシートの巾方向に複数配列した切刃列と、この切刃列を挿入可能な溝を有する刃受部とからなる、いわゆるサーキュラカッタであり切刃列と刃受部の少なくとも一方を上下動させることにより両者の間に挟んだシートを切断するものである。かかる構成によれば、シートの切断縁が繊維のほつれも無く、かつ巻取物の軸線と平行な直線状とすることができる。
【０００５】
【発明が解決しようとする課題】
ところで、上述のようなサーキュラカッタは、切刃列を刃受部に挿入してシートの切断を行うという２つの構成部材の連係した切断動作を必要とするため、例えば切刃列と刃受部とが未だ離間しているにも拘らず、切刃列又は刃受部の一方に、特に移動している部材側にシートが接触すると、その移動に伴いシートに余分な張力を作用させ、巻取不良、切断不良を生じさせるという問題がある。
【０００６】
しかしながら、既にロール状にシートを巻取ったシート巻取物からシートを送り出すシート巻出機においては、シート巻取物の全部を巻出す他、その一部を巻出す一部巻出しを行うなどシートが通過するシートパスラインが常に変化する結果、シート切断位置を定め難く前記した切刃列と刃受部の連係した切断動作を確保するのが困難となる。
【０００７】
このことは、布、織物、不織布の基材からなるシートを巻出すシート巻出機において、前記サーキュラカッタの使用を困難とする。
【０００８】
本発明者は、以上のような問題点に鑑み鋭意研究を重ねた結果、シート巻出装置のシート巻取物を軸支するターレットアームに、シート巻取物の最大半径をこえる位置で、送り出された前記シートを案内するガイドローラを設けることにより、シートのパスラインを常に一定に保つことができ、シート巻出機においてもサーキュラカッタによるシートの切断を可能とすることを見出し本発明を完成させたのである。
【０００９】
即ち、本発明は、シートを巻出すシート巻出装置に、サーキュラカッタを採用することを可能として布、織物、不織物といった基材の切断、連続巻出しを実現しうるシート巻出装置の提供を目的としている。
【００１０】
【課題を解決するための手段】
本発明は、シートがロール状に巻き取られた２つのシート巻取物を支承し、かつシート巻取物から前記シートを送り出すシート巻出機と、シート巻取物から送り出されたシートを切断するシート切断具と、シート巻取物からのシートが切断されたシート終端を、他のシート巻取物のシート始端に接続するためにシート終端を押すタッチロールとを具えるとともに、
前記シート巻出機は、垂直面内で基台に対し間欠的に回動自在に支承されたターレットアームに、
このターレットアームの両端に設けられ前記シート巻取物をターレットアームと直角かつ水平に前記支承しうる軸受部と、
前記ターレットアームの両側面かつターレットアームが支承される点を挟んだ両側位置しかも前記シート巻取物と平行な各一対のガイドローラとを設けるとともに、
前記ガイドローラは、シート巻取物の最大半径をこえる位置で送り出された前記シートを案内し、
かつ前記シート切断具は、
円盤状をなす回転刃を前記シートの巾方向に複数配列することによりシートの切断線を実質上一直線とするサーキュラカッタと、
前記サーキュラカッタを挿入し、かつ挿入により前記シートを切断する切断溝を有する溝部材とからなり、
前記サーキュラカッタは、前記ガイドロール間に向けて移動可能に配され、かつ前記溝部材は、ターレットアームに設けられてなるシート巻出装置である。
【００１１】
【作用】
本発明のシート巻出装置は、一のシート巻取物のシート巻出機により送り出されたシートをシート切断具により切断し、該切断されたシート終端をタッチロールにより他のシート巻取物のシート始端に押圧することにより接続し連続したシートの巻出しを可能とする。
【００１２】
又ターレットアームの軸受部に軸支されたシート巻取物は、シートを巻出すに際し、対のガイドローラによりシート巻取物の最大半径をこえる位置で送り出されることにより、シート巻取物の巻径の変化に拘らず常に一定のシートパスラインを保ちうる。
【００１３】
又前記サーキュラカッタを、前記ガイドロール間に向けて移動可能に、かつこのサーキュラカッタを挿入しうる切断溝を有する溝部材をターレットアームに設け、前記シートパスラインを一定とするガイドロール間でのシートの切断を可能とし、切断不良、巻出し不良を減じうる。
【００１４】
【実施例】
以下本発明の一実施例を図面に基づき説明する。
本発明のシート巻出装置は、図１に示すように、シートがロール状に巻き取られた２つのシート巻取物２（２Ａ、２Ｂ）を支承し、かつシート巻取物２から前記シートＳを送り出すシート巻出機３と、一方のシート巻取物２Ａから送り出されたシートＳを切断するシート切断具４と、シート巻取物２Ａから切断されたシート終端ＳＥを、他のシート巻取物２Ｂのシート始端ＳＳに接続するためにシート終端ＳＥを押すタッチロール５とを具える。
【００１５】
前記シート巻出機３は、図１、図２に示すように地上に固定された固定枠１４から上方にのびる基台Ｆ１と、この基台Ｆ１に対し、垂直面内で回動自在に支承される一対のターレットアーム６、６を具える。
【００１６】
このターレットアーム６は、その長手方向の略中間位置に、前記基台Ｆ１の軸受にて両端を回動自在に支持された回動軸１５を固着するとともに、この回動軸１５は、スプロケット、チェーン等の伝達具を介して電動機Ｍにて後で述べる間欠的に回転被動される。
【００１７】
前記ターレットアーム６は、両端に２本のシート巻取物２を軸受しうるよう、本例ではシート巻取物２のパイプ状をなす巻芯２ａを両側から挟持しうる先端部がテーパ状のチャック部７Ａを有する軸受部７を具える。この軸受部７には、夫々ターレットアーム６に対して回動可能なようにエアシリンダ１８が連結し、この回転により軸支したシート巻取物２のシートを送り出すように作用する。
【００１８】
又ターレットアーム６の両側面６Ａ、６Ｂに、このターレットアームが基台Ｆ１に支承される中心点Ｃ（図１に示す）を挟んだ両側位置でしかも前記シート巻取物２Ａと平行な各一対のガイドローラ９Ａ、９Ｂを具える。
【００１９】
このガイドローラ９Ａ、９Ｂは、前記ターレットアーム６から夫々ターレットアームの長手方向と直交する向きにのびるブラケット１６に両端を固定された支軸８に回動自在に外挿されている。
【００２０】
又ガイドローラ９Ａ、９Ｂは、巻出すシート巻取物２Ａの最大半径Ｒ１を前記直交する方向に越える距離Ｒ２を隔てて位置することにより、前記シート巻取物２Ａの巻径が巻出しにつれて種々変化してもガイドローラ９Ａ、９Ｂ間では、常に一定のシートパスラインを保って送り出されたシートＳを案内しうる。
【００２１】
シート切断具４は、図１のＡ方向から見た略図である図３に示すように、円盤状をなす回転刃１０を前記シートの巾方向に複数配列することによりシートの切断縁ＣＬを実質上一直線とするサーキュラカッタ１１と、このサーキュラカッタ１１を挿入し、かつ挿入により前記シートを切断する切断溝１２を有する溝部材１３とからなる。
【００２２】
前記各回転刃１０は、本例では回転軸３１を内挿する受筒３２をフレーム１９に固着し、かつ互いに隣り合う回転刃１０が順次交互に重なり合うように配置されている。又回転刃１０の外周の重なり合う側に切刃部を形成し、前記のごとくシート切断線を実質上一直線としうる。
【００２３】
又サーキュラカッタ１１は、本実施例では２つの回転機２０、２０により、シートの巾中心よりも図３において左側に位置する回転刃１０はその切断に際しての回転によりシートＳを左側へと引っ張る向き、かつ右側に位置する回転刃１０は、その切断に際しての回転によりシートＳを右側へと引っ張る向きに夫々回転しうるよう、本実施例では、ベルトＢを介して各回転刃の回転軸３１に固着されたプーリＰを被動するものを例示している。
【００２４】
このように回転刃１０を、シート巾の略中心を境に互いにシートＳを引っ張るように回転させることにより、シートＳの切断を瞬時に行い、かつシート切断縁の見映えを良好とする。
【００２５】
前記サーキュラカッタ１１は、前記シート巻出機３の前記ガイドローラ９Ａ、９Ｂ間に向けて移動しうるよう、本実施例ではシート巻出機３と後述するシート加工機ＭＳとの間に固設された基台Ｆ２にシリンダ２１にて揺動しうるカッタアーム２２に装着されている。なお、前記基台Ｆ２は、シート巻出機のシート加工機ＭＳと反対側に設けても良い。
【００２６】
前記溝部材１３は、図１、図２に示すように断面を略「Ｕ」字状として前記サーキュラカッタ１１を挿入することにより前記シートＳを切断しうる切断溝１２を具え、本実施例では前記ターレットアーム６のガイドローラ９Ａの支軸８を中心としてシリンダ２５にて揺動可能に装着された上下各一対のアーム体２６に夫々架設される。
【００２７】
前記タッチロール５は、本実施例では基台Ｆ２に対してシリンダ２７にて上下方向に揺動しうる対のアーム体２９に回動自在に軸支され、シートの連続巻出しを行うに際し、前記サーキュラカッタ１１にて切断されたシート終端を次に巻き出すシート巻取物２のシート始端に押しつけうる。なおシートＳの巻出中は、図４の一点鎖線で示すようにシート巻取物２Ｂとは非接触の位置を保ち、シートの案内ローラとして作用する。
【００２８】
然して、以上のように構成された本発明の動作について説明する。
シート巻出装置１は、本実施例１ではシートに印刷、表面処理、二次加工等を行うシート加工機ＭＳへとシートＳを連続して送り出すものを例示している。図１に示すように、シートＳを送り出すシート巻取物２Ａは、図の位置で停止しているターレットアーム６の駆動軸１５を挟んで左方の軸受部７にて支承され、電動機１８をシートを巻出す方向に回動させることにより前記ガイドローラ９Ａ、９Ｂ、タッチロール５、案内ローラ２３、適宜のテンションローラ２４を経て前記シート加工機ＭＳへと送り出される。
【００２９】
又ターレットアーム６の駆動軸１５を挟んで右方の軸受部７には、現在巻出中のシート巻取物２Ａが巻出し終了した後に供給されるシート巻取物２Ｂが予め軸支されており、このシート巻取物２Ｂと前記タッチロール５とは前述のごとく小隙間を隔てて非接触な状態を保っている。
【００３０】
なお前記したように、現在巻出中のシート巻取物２Ａがシートを巻出すにつれ、図１の実線で示すように巻径が小となっても、ガイドローラ９Ａ、９Ｂ間で案内されるシートＳのシートパスラインを常に一定に保つことができる。
【００３１】
又シートＳの巻出しが終りに近づくと、前記シリンダ２１のロッドを伸張してカッタアーム２２を下降させ、前記サーキュラカッタ１１をガイドロール９Ａ、９Ｂ間で一定のパスラインを保ったシートＳに向けて移動させる。
【００３２】
さらに、この移動を適宜の検知手段により検知しかつこれに連動してターレットアーム６に設けられたシリンダ２５のロッドを伸張し、前記アーム体２６をガイドロール９Ａ、９Ｂ間のシートＳに向けて移動させる。
【００３３】
シートＳの切断は、図４に示すように、本実施例では、サーキュラカッタ１１をシートＳに対して微小隙間ｄを隔てて移動を停止させ、前記回転刃１０を回転させ、かかる状態のサーキュラカッタ１１に対して溝部材１３を押し上げて、図中実線で示すようにシートＳに張力を付与させつつサーキュラカッタ１１と共に切断溝１２内に挿入することにより瞬時かつ巾方向に平行な切断縁を形成して切断を行いうる。
【００３４】
又シートＳの切断に際して、前記シート巻取物２Ｂとの間に小隙間を有していたタッチロール５（図４で一点鎖線で示す）が、シリンダ２５のロッドを縮めることで下降することにより、ロール表面とシート巻取物２Ｂとの間に切断されたシート終端ＳＥを含むシート終端部を挟持しうる。かかる状態で、前記シート巻取物２Ｂを図において右回りに回動させることによりシート終端部をシート巻取物２Ｂに密着させつつ送り出しうる。
【００３５】
又前記シート巻取物２Ｂのシート始端ＳＳには、その巻きほぐれを防止しうるよう、本実施例では、両面の粘着テープＴを貼着するとともに、図５（Ａ）、（Ｂ）に示すように前記タッチロール５の押しつけにより、前記シート終端ＳＥと、シート巻取物２Ｂのシート始端ＳＳとを接続し、シート巻取物２を順次切り換えつつ連続したシートＳの送り出しを可能としている。
【００３６】
なお粘着テープＴは本実施例では、タッチロール５とシート巻取物２Ｂとが接する位置からシート終端ＳＥまでのシート長さＬ１に応じて、予めタッチロール５からシート巻取物２Ｂのシート始端をこえた長さＬ２の位置に人手にて貼着したものを示しているが、機械的に貼着けるものの他、これを省略することもできる。
【００３７】
又シート巻取物２ＢからシートＳが巻き出された後は、図６に示すようにターレットアーム６を図において左回りに間欠的に回動させかつ図に示す位置で停止させ、巻出しが終了した側のシート巻取物２Ａを他のシート巻取物２Ｃとを交換した後、さらにターレットアーム６を左回りに回動させて図１に示す状態とし、シートＳを対のガイドロール９Ａ、９Ｂ間で案内しうる。かかる動作を繰り返すことにより連続したシートの巻出しを行いうる。
なお、このシート巻取物の交換は、シート巻取装置に、シート巻取物の軸方向にスライド移動により接近できかつ上下動しうるコンベヤ装置２７を適宜用いる。
【００３８】
【発明の効果】
叙上の如く本発明は、シートのパスラインが変化しがちなシート巻出装置においてシートパスラインを常に一定としうる対のガイドロールを設けることにより、シート巻出機においてもサーキュラカッタの使用を可能とし、布、織物、不織布等の基材からなるシートの切断、連続巻出しを可能としうる。
【図面の簡単な説明】
【図１】本発明の一実施例を示す側面図である。
【図２】前記シート巻出機の一実施例を示す斜視図である。
【図３】サーキュラカッタの一実施例を示す図１におけるＡ視図である。
【図４】本発明の作用を説明するための拡大図である。
【図５】本発明の作用を説明するための略図である。
【図６】本発明の作用を説明するための側面図である。
【符号の説明】
２  シート巻取物
３  前記シート巻出機
４  シート切断具
５  タッチロール
６  ターレットアーム
７  軸受部
９  ガイドローラ
１０  回転刃
１１  サーキュラカッタ
１２  切断溝
１３  溝部材
１４  固定枠
１５  回動軸
【図１】
0003585051.tif 000002
【図２】
0003585051.tif 000003
【図３】
0003585051.tif 000004
【図４】
0003585051.tif 000005
【図５】
0003585051.tif 000006
【図６】
0003585051.tif 000007